(57)【要約】【課題】壁体内の通気を妨げる構造を壁体が有していても、壁体内通気を実使用上好ましい形態で確保するのに好適な壁体の通気部材を提供することにある。【解決手段】胴差し（横架材）２２の縦溝２２ａを有した側面に沿わせて使用される通気部材５１を、床下空間と小屋裏空間とにわたる壁体内通気路１７の屋外側に配設された断熱層１５の内面を被った面材３３，４３に対し上下方向に連続して配置する。通気部材５１は通気横溝５２とフランジ５３，５４とを備える。通気横溝５２は、屋外側に凹んでいるとともに水平方向に連続して延びて壁体内通気路１７の縦溝２２ａに連通する。フランジ５３，５４は、通気横溝５２に連続して面材３３，４３の縁部３３ａ，４３ａ裏面に重なることを特徴としている。【選択図】      図２
2005290694.tif 000002
【特許請求の範囲】
【請求項１】
床下空間と小屋裏空間とにわたる壁体内通気路を設けた壁体が備えた通気部材であって、屋外側に凹んでいるとともに水平方向に連続して延びて前記壁体内通気路に連通する通気横溝を有していることを特徴とする壁体の通気部材。
【請求項２】
床下空間と小屋裏空間とにわたる壁体内通気路をこの通気路の屋外側で被った面材に対し上下方向に連続して配置される通気部材であって、屋外側に凹んでいるとともに水平方向に連続して延びて前記壁体内通気路に連通する通気横溝と、この横溝に連続して前記面材の縁部裏面に重なるフランジと、を備えたことを特徴とする壁体の通気部材。
【請求項３】
不燃材製であることを特徴とする請求項２に記載の壁体の通気部材。
【請求項４】
所定温度以下では前記壁体内通気路の通気を許す状態を維持し、所定温度を超える温度では前記壁体内通気路の通気を遮断するように発泡膨張する閉塞要素を、前記通気横溝の内面と外面との内の少なくとも内面に設けたことを特徴とする請求項１から３の内のいずれか１項に記載の壁体の通気部材。
【請求項５】
床下空間と小屋裏空間とを連通する壁体内通気路を断熱層の内側に有し、前記断熱層の内面が面材で被われた建物の壁体において、
建物の外周に沿って水平方向に置かれて側面に前記床下空間と小屋裏空間とにわたる通気のための縦溝を有した横架材と、
前記縦溝に対して交差関係を持って連通し水平方向に延びる通気横溝を有して前記横架材の側面にこの横架材の長手方向に沿って配置された通気部材と、
を具備したことを特徴とする建物の壁体。
【請求項６】
前記通気部材に前記請求項２から４の内のいずれか1項に記載の通気部材を用いたことを特徴とする建物の壁体。
【請求項７】
隅部をなして隣接する壁部が有した前記通気部材を、前記隅部において通気横溝を互に連通して接合させたことを特徴とする請求項５又は６に記載の建物の壁体。
【請求項８】
請求項１から７の内のいずれか１項に記載の壁体を具備した建物。
【発明の詳細な説明】
【技術分野】
【０００１】
本発明は、床下空間と小屋裏空間との通気をとる壁体内通気路を有した建物の壁体、及びこの壁体に前記通気のために用いられる通気部材、並びに前記壁体を備える建物に関する。
【背景技術】
【０００２】
従来、断熱を施した住宅で、壁体内通気路に配設された端根太、転び止め、側根太、添え側根太等の横架材の側面に、縦方向の通気切欠きを横架材の長手方向に沿って間隔的に複数設けて、床下空間と小屋裏空間との通気を可能とした技術が知られている（例えば、特許文献１参照。）。
【特許文献１】特開２００３−１１９９１８号公報（段落0005、図１―図３，図５）
【発明の開示】
【発明が解決しようとする課題】
【０００３】
特許文献１は、壁体内通気路での通気の邪魔となるように配置された横架材を上下方向に通って通気ができるようにした技術を開示しているに過ぎず、横架材が延びる方向である水平方向に通気経路を確保することについては言及していない。
【０００４】
通常、壁体の一部には窓を設けるための開口部が設けられる。この開口部を区画する窓台やまぐさなどの水平棒材が、前記横架材の上面又は下面に接して設けられると、この水平棒材によって横架材の通気切欠きが閉じられて、壁体内の熱や湿気を排出する壁体内通気が途絶えてしまうので、その改善が求められている。
【０００５】
この対策として、閉ざされた通気路部分とこれに隣接した他の通気路部分とを仕切る縦部材に、両通気路部分を連通する切欠きを設けることが行われている。しかし、前記切欠きの加工は、施工現場などでのみを用いて削る作業であるので、施工上好ましくない。
【０００６】
他の対策として、本発明者は、横架材に、その縦方向の通気切欠きと交差して横方向に延びる他の通気切欠きを設けることを考えた。しかし、この対策は、開口部を迂回する壁体内通気が可能にはなるものの、横架材の強度を低下させるとともに、横架材に対する切欠きの加工も大変であるという点で実際的ではない。
【０００７】
又、木造の建物の中には、壁体での断熱のための断熱層の内面が構造用の面材で被われた壁体を備えるものが知られている。この壁体では、面材が上下方向に複数に分かれているので、防耐火性能の観点で、それらの合わせ目について目地処理を行う場合がある。しかし、目地処理のために使用される従来の目地止め部材は、壁体内の通気とは無関係に用いられているに過ぎない。
【０００８】
本発明の目的は、壁体内の通気を妨げる構造を壁体が有していても、壁体内通気を実使用上好ましい形態で確保するのに好適な壁体の通気部材、壁体内の通気を妨げる構造を壁体が有していても、壁体内通気を実使用上好ましい形態で確保できる建物の壁体、及びこの壁体を備えた建物を提供することにある。
【課題を解決するための手段】
【０００９】
前記課題を解決するために、本発明に係る壁体の通気部材は、床下空間と小屋裏空間とにわたる壁体内通気路を設けた壁体が備える通気部材であって、屋外側に凹んでいるとともに水平方向に連続して延びて前記壁体内通気路に連通する通気横溝を有していることを特徴としている。
【００１０】
本発明及び以下の各発明で、通気部材は、金属、合成樹脂、又は木材、或いは無機材等により形成できる。本発明の通気部材は、水平方向に延びた通気横溝を、床下空間と小屋裏空間とにわたる壁体内通気路に連通させて使用される。このため、壁体の窓等の壁体内通気を妨げる構造（通気遮断物）によって壁体内通気路の一部の通気がせき止められても、前記壁体内通気を妨げる構造に対して水平方向にずれた隣接位置で通気が確保されている壁体内通気路部分に、せき止められた空気を通気横溝に通して導くことができる。これにより、床下空間と小屋裏空間とにわたる壁体内通気を確保できる。
【００１１】
又、前記課題を解決するために、本発明に係る壁体の通気部材は、床下空間と小屋裏空間とにわたる壁体内通気路をこの通気路の屋外側で被った面材に対し上下方向に連続して配置される通気部材であって、屋外側に凹んでいるとともに水平方向に連続して延びて前記壁体内通気路に連通する通気横溝と、この横溝に連続して前記面材の縁部裏面に重なるフランジと、を備えたことを特徴としている。
【００１２】
本発明で、通気部材のフランジは、通し柱等の柱に直角に連結される胴差しやこの胴差しと平行に配置される部材等の横架材の設置個所に応じて通気横溝の少なくとも一方の溝縁から折れ曲がるように連続して設ければよい。
【００１３】
本発明の通気部材は、水平方向に延びた通気横溝を、床下空間と小屋裏空間とにわたる壁体内通気路に連通させて使用される。このため、壁体の窓等の壁体内通気を妨げる構造によって壁体内通気路の一部の通気がせき止められても、前記壁体内通気を妨げる構造に対して水平方向にずれた隣接位置で通気が確保されている壁体内通気路部分に、前記壁体内通気を妨げる構造でせき止められた空気を通気横溝に通して導くことができる。これにより、床下空間と小屋裏空間とにわたる壁体内通気を確保できる。更に、通気部材はその通気横溝に連続したフランジにより面材等に取付けることができる。しかも、この通気部材は面材の縁部をこの裏面から被って面材に対し上下方向に連続して配置されるので、目地止め部材として機能できる。
【００１４】
又、本発明の好ましい形態では、通気部材を不燃材製としている。ここに、不燃材とは、建築基準法第２条第９項で定められた不燃材料に適合する材料で作られた部材を指し、不燃材として金属を好適に使用できる。この好ましい形態の発明では、目地止め部材として機能する通気部材の不燃性によって、火災時に火炎が目地部を通ることを抑制できる。
【００１５】
又、本発明の好ましい形態では、所定温度以下では前記壁体内通気路の通気を許す状態を維持し、所定温度を超える温度では前記壁体内通気路の通気を遮断するように発泡膨張する閉塞要素を、前記通気横溝の内面と外面との内の少なくとも内面に設けている。
【００１６】
この好ましい形態の発明では、火災時に熱で閉塞要素が加熱されてその温度が所定温度を超えると、閉塞要素が発泡膨張して通気横溝の通気を絶って、壁体内通気路の通気を遮断できるので、壁体内通気路を経由する延焼を抑制できる。
【００１７】
又、前記課題を解決するために、本発明に係る建物の壁体は、床下空間と小屋裏空間とを連通する壁体内通気路を断熱層の内側に有し、前記断熱層の内面が面材で被われた建物の壁体において、建物の外周に沿って水平方向に置かれて側面に前記床下空間と小屋裏空間とにわたる通気のための縦溝を有した横架材と、前記縦溝に対して交差関係を持って連通し水平方向に延びる通気横溝を有して前記横架材の側面にこの横架材の長手方向に沿って配置された通気部材と、を具備したことを特徴としている。
【００１８】
本発明では、通気のための縦溝を複数有した横架材の側面に沿って通気部材を配置し、この通気部材の水平方向に延びた通気横溝と横架材の縦溝とを交わらせて、これらの溝を連通させて、壁体内での通気構造を構成している。このため、壁体の窓等の壁体内通気を妨げる構造によって横架材の一部の縦溝がせき止められることがあっても、前記壁体内通気を妨げる構造に対して水平方向にずれた隣接位置で通気が確保されている横架材の縦溝に、前記壁体内通気を妨げる構造でせき止められた空気を通気横溝に通して導くことができる。これにより、床下空間と小屋裏空間とにわたる壁体内通気を確保できる。
【００１９】
又、本発明の好ましい形態では、前記通気部材に前記請求項１から４の内のいずれか1項に記載の通気部材を用いている。
【００２０】
この好ましい形態の発明では、通気部材をそのフランジにより面材等に取付けることができて、この通気部材は面材を目地止め部材として用いることができ、或いは、火災時に火炎が目地部を通ることを抑制でき、若しくは、火災時に熱で発泡膨張する閉塞要素によって壁体内通気路の通気を遮断して、壁体内通気路を経由する延焼を抑制できる。
【００２１】
又、本発明の好ましい形態では、隅部をなして隣接する壁部が有した前記通気部材を、前記隅部において通気横溝を互に連通して接合させている。
【００２２】
この好ましい形態の発明では、建物の外周に水平方向に沿って通気横溝が連続して、壁体での出隅部や入隅部での通気が可能となるので、壁体内通気の信頼性を向上できる。
【００２３】
又、前記課題を解決するために、本発明に係る建物は、前記各発明の内のいずれかの発明に係る壁体を具備しているので、既述の作用を得て、壁体内の通気を妨げる構造を壁体が有していても、壁体内通気を実使用上好ましい形態で確保することが可能な壁体を備えた建物を提供できる。
【発明の効果】
【００２４】
本発明によれば、壁体内の通気を妨げる構造を壁体が有していても、壁体内通気を実使用上好ましい形態で確保するのに好適な壁体の通気部材を提供できる。
【００２５】
又、本発明によれば、壁体内の通気を妨げる構造を壁体が有していても、壁体内通気を実使用上好ましい形態で確保できる建物の壁体、及びこの壁体を備えた建物を提供できる。
【発明を実施するための最良の形態】
【００２６】
図面を参照して本発明の一実施形態に係る在来軸組構造の二階建て木造住宅を説明する。
【００２７】
図１中に示すように住宅１が備えるコンクリート製の基礎２は、その内側に床下空間２ａを形成する。この床下空間２ａを断熱するために、基礎２の主体をなす基礎コンクリートの屋外面又は屋内面の内の少なくとも一方に断熱層（図示しない）が被着されている。基礎２は１以上の床下換気口３を有している。この床下換気口３を開閉する床下ダンパー４が基礎２に取付けられている。床下ダンパー４は手動又は電動により任意に開閉される。符号５は基礎２上に構築された階下居室として１階居室を示している。符号６は１階居室５上に構築された階上居室として２階居室を示している。なお、符号５ａは床下空間２ａに臨んだ１階居室５の床板、５ｂは１階居室５の天井板を示している。符号６ａは２階居室６の床板、６ｂは小屋裏空間１３に臨んだ２階居室６の天井板を示している。又、図１中符号７は土台を示している。
【００２８】
居室５，６は住宅１の外郭で被われている。外郭は、壁体１１及び屋根１２等を備えている。壁体１１は１、２階の居室５、６を囲んで設けられている。屋根１２は壁体１１の上側に連続して設けられていて、この屋根１２と最上階の２階居室６との間には小屋裏空間１３が形成されている。
【００２９】
前記外郭は、壁体１１の断熱のための断熱層１５と、この断熱層１５を間に置いて設けられた外側通気路１６と壁体内通気路１７とを備えている。断熱層１５には、プラスチック系断熱材例えば独立発泡された発泡ポリスチレンを一層又は複層したボードを好適に使用でき、この他に難燃性又は不燃性のフェノールフォーム、ＡＬＣ、又はグラスウールやロックウールなどの繊維系断熱材を層状としたものも使用可能である。断熱層１５の内側に、居室５，６、小屋裏空間１３、及び壁体１１の壁体内通気路１７が設けられている。
【００３０】
住宅１の上部に、断熱層１５によって外側通気路１６から区画された小屋裏空間１３と屋外との連通を開閉する換気部として例えば強制換気装置１８が設けられている。強制換気装置１８は、小屋裏空間１３と屋外とを連通した排気路１８ａと、この排気路１８ａ中に少なくともファンが配置された電動式の換気扇１８ｂと、この換気扇１８ｂの好ましくは下流側に配置されて排気路１８ａを開閉する排気ダンパー１８ｃとを有して形成されている。強制換気装置１８等からなる換気部は、排気ダンパー１８ｃを備えない構成でもよい。更に、換気部は、手動又は電動により開閉されてその開放により自然換気をする排気ダンパーであってもよく、更に、ドレーキップ窓や天窓などの開口部開閉要素のような通常の建具も包含する。
【００３１】
外側通気路１６は、断熱層１５と壁体１１の外装材１４及び屋根材との間にこれらに沿って形成されている。外側通気路１６の下端１６ａは、常時開口されていて、屋外の大気中に連通されている。屋根１２の上部には屋外に連通されるように開放された排気部１９が設けられていて、この排気部１９に外側通気路１６の上端部が連通されている。
【００３２】
壁体内通気路１７は、住宅１の躯体をなす通し柱等の柱２１（図５参照）及び胴差し２２を利用して、断熱層１５と居室５，６との間にこれらに沿って形成されていて、床下空間２ａと小屋裏空間１３とを連通している。垂直棒材である柱２１は住宅１の外周部に垂直に延びて配置されている。胴差し２２は、横架材として機能するものであって、その端を柱２１に連結して住宅１の外周部に沿って水平方向に配置されている。
【００３３】
図４等に示すように胴差し２２の屋外側の側面に、複数の縦溝２２ａとこれに隣接する複数の凸部２２ｂとが交互に所定間隔で設けられている。上下方向に延びる縦溝２２ａは、床下空間２ａと小屋裏空間１３とに渡る壁体内通気を許すための切欠きであって、胴差し２２の上下両面に夫々開放している。各縦溝２２ａの幅は１０mm〜１００mm、好ましくは２０mm〜６０mm、各縦溝２２ａの深さは５mm〜３０mm、好ましくは７mm〜１５mm、胴差し２２の厚みに応じた各縦溝２２ａの長さは幅１５０mm〜５００mmが好ましい。
【００３４】
なお、図５中符号２３は胴差し２２等の横架材に上下両端を固定して柱２１間に上下方向に延びて設けられた間柱を示しており、更に、図５中符号２４は胴差し２２に対し上下方向に連続して配置された窓を示している。図示例の窓２４は、その窓台２４ａを胴差し２２の上面に接して配置されている。窓２４は、壁体内通気路の一部の通気を止める通気遮断物の一例であって、図５の例とは逆に窓２４のまぐさ（図示しない）を胴差し２２の下面に接して配置される場合もある。
【００３５】
壁体内通気路１７は、階下側通気路部分３１と、階上側通気路部分４１と、これらの通気路部分３１，４１を連通して設けられた連通構造（縦溝２２ａ及び通気横溝５２）とで形成されている。
【００３６】
階下側通気路部分３１は、柱２１及び胴差し２２の屋内側の面に周部を釘打ち等により固定されて耐火性内被材として機能する例えば石膏ボード３２と、柱２１及び胴差し２２の屋外側の面側に周部を釘打ち等により固定された面材３３との間に形成されている。この階下側通気路部分３１は、その下端の通気部例えば床板５ａの延出部に開けた通孔３４を通じて床下空間２ａと連通している。垂直面材である石膏ボード３２は１階居室５に臨んでいる。垂直面材である面材３３には、厚さが２mm〜２４mmの構造用合板、木質系パネル、例えば無機質材料からなる不燃性パネル等が用いられている。この面材３３は断熱層１５の中で１階居室５に対応する断熱層部分に接している。
【００３７】
階上側通気路部分４１は、柱２１及び胴差し２２の屋内側の面に周部を釘打ち等により固定されて耐火性内被材として機能する例えば石膏ボード４２と、柱２１及び胴差し２２の屋外側の面側に周部を釘打ち等により固定された面材４３との間に形成されている。この階上側通気路部分４１は、その上端の通気部例えば天井６ｂの延出部に開けた通孔４４を通じて小屋裏空間１３と連通している。垂直面材である石膏ボード４２は２階居室６に臨んでいる。垂直面材である面材４３にも、面材３３と同様に厚さが２mm〜２４mmの構造用合板、木質系パネル、例えば無機質材料からなる不燃性パネル等が用いられている。この面材４３は断熱層１５の中で２階居室６に対応する断熱層部分に接している。
【００３８】
面材３３，４３には、本実施形態では一枚板を用いたが、夫々複数の面材要素を上下方向に連続させて構成することもできる。又、胴差し２２の側面に打付けられる面材３３，４３間に、通気部材５１の後述する通気溝部５２の上方又は下方に連続して胴差し２２に打付けられる他の面材を追加して設けることもできる。この追加された面材は、これに上方又は下方に連続する面材とともに壁体内通気路１７を屋外側から覆うものであって、具体的には、縦溝２２ａを被って配置される。
【００３９】
縦溝２２ａを有した胴差し２２の側面に打付けられた下側の面材３３の縁部３３ａと、同じく胴差し２２の前記側面に打付けられた下側の面材４３の縁部４３ａとは、互に離れている。互に隣接した縁部３３ａ，４３ａ間には、これらに対し上下方向に連続する通気部材５１が設けられている。
【００４０】
通気部材５１は、好適な例として不燃材、例えば釘打ち可能な厚さの金属で作られている。図２及び図３に示すように通気部材５１は、通気横溝５２と、例えば一対のフランジ５３，５４と、閉塞要素５５とを備えている。
【００４１】
通気横溝５２は、屋外側に凹んで断面略コ字状をなしていて、水平方向に連続して延びている。フランジ５３，５４は通気横溝５２の長手方向に延びる開口縁から互に遠ざかる方向に折れ曲がって通気横溝５２に連続している。通気横溝５２のフランジ５３，５４に対する出幅Ａは、面材３３，４３の厚みＢと略同じであるが、Ａ≦Ｂとすることは、Ａ＞Ｂとした場合に比較して、通気横溝５２を原因としてこれに対向した断熱層１５の部分が屋外側に突出する不陸状態を形成されないようにできる点で好ましい。
【００４２】
通気部材５１は、その通気横溝５２を面材３３，４３の縁部３３ａ，４３ａ間に配置し、かつ、一方のフランジ５３を縁部３３ａの裏面に重ねて複数の釘５６で縁部３３ａに固定するとともに、他方のフランジ５４を縁部４３ａの裏面に重ねて複数の釘５７で縁部４３ａに固定して設けられている。これにより、通気部材５１は胴差し２２の側面にこの胴差し２２の長手方向に沿って配置される。この通気部材５１の通気横溝５２は、図５に示すように胴差し２２の各縦溝２２ａに対して略直交する関係を持って、これら縦溝２２ａと連通されている。したがって、通気横溝５２と壁体内通気路１７とは連通している。
【００４３】
なお、通気部材５１は以上のように面材３３，４３に固定することに代えて、フランジ５３，５４等を通る釘によって胴差し２２の側面に打付けてもよい。更に、こうして胴差し２２にその側面に沿って固定された通気部材５１のフランジ５３，５４に面材３３，４３の縁部３３ａ，４３ａを重ねて、これらを通る釘によって胴差し２２の側面に縁部３３ａ，４３ａを打付けてもよい。
【００４４】
閉塞要素５５は通気横溝５２の内面と外面との内の少なくとも内面に取付けられている。この閉塞要素５５は、テープ状又は紐状などのように細長い形状をなしていて、通気横溝５２の長手方向略全体にわたって連続して貼り付け等により設けられている。この閉塞要素５５は、所定温度以下では壁体内通気路１７の通気（具体的には縦溝２２ａを通る通気）を許す状態を維持し、所定温度を超える温度では壁体内通気路１７の通気（具体的には縦溝２２ａを通る通気）を遮断するように発泡膨張するものであって、本実施形態では未発泡の耐火性発泡剤を使用している。
【００４５】
この発泡剤としては、炭化成分、炭化促進剤、発泡主剤、及びバインダ、そして必要に応じて添加される可塑剤、並びに充填剤を含む耐熱性樹脂組成物を例示できる。炭化成分はカーボンを生成させる主成分である。炭化促進剤は炭化成分のカーボン化を促進させる成分である。発泡主剤は発泡膨張を担う主成分である。バインダは前記各材料を結合して耐熱性樹脂組成物の物性を改善するものである。そして、可塑剤は、耐熱性樹脂組成物に柔軟性を付与して塗膜の成形性を高める機能を有し、充填剤は、耐熱性樹脂組成物の不燃性を高めかつ気泡密度を高める機能を有する。
【００４６】
未発泡の耐火性発泡剤からなる閉塞要素５５は、支持材をなす木材の耐熱温度以下の所定温度で発泡膨張して、この発泡膨張を完了する性能を有している。前記発泡膨張を開始する温度は、例えば６０℃〜２５０℃、好ましくは２００℃〜２５０℃であり、この温度を超える温度では発泡膨張が完了して、この発泡膨張により、縦溝２２ａを通る通気が実質的に遮断されるようになっている。なお、閉塞要素５５をなす発泡剤には、前記例示のものの他に、熱で燃えて、膨らんで、この膨らみ状態で固体となる一般市販品を用いることができる。
【００４７】
図６に示すように壁体１１の隣接する壁部がなす隅部において、各壁部に沿って水平方向の延びている通気部材５１の端部は、それらの通気横溝５２を互に連通して接合されている。この接合のために、例えば通気部材５１の端部はいわゆる額縁継ぎされているが、接合方法は、これには限定されない。なお、図６は出隅である場合を示しているが、入隅の場合も同様である。又、図６中符号５８は胴差し２２の端を支持する隅柱を示している。
【００４８】
前記断熱層１５の外面には、上下方向に連続して延びる複数本の縦胴縁５９（図４及び図６参照）が、住宅１の外周に沿って所定間隔で配置されている。断熱層１５の外面は、防耐火性能を有する材料からなる外装材１４で覆われている。この外装材１４は、各縦胴縁５９に図示しない金釘により打付けられている。このように取付けられた外装材１４と断熱層１５との間には前記外側通気路１６が形成されている。壁体１１は、以上説明した外装材１４、断熱層１５、外側通気路１６、壁体内通気路１７、断熱層１５の内側の面材３３,４３、通気部材５１、及び縦胴縁５９を備えている。
【００４９】
前記構成を備えた住宅１の壁体１１は、住宅１の外周に沿って水平方向に置かれて階上等の重みを受ける胴差し２２の側面に、断熱層１５の内側の構造用面材３３,４３が貼ってあって、かつ、この側面に切欠きからなる通気用縦溝２２ａを複数設けて、これらの縦溝２２ａで壁体内通気路１７の階下側通気路部分３１と階上側通気路部分４１とを連通している。更に、壁体１１は、上下の面材３３,４３間を塞いで設けられた通気部材５１を胴差し２２の側面に沿わせて配置して、その通気横溝５２を各縦溝２２ａに交差させるとともに連通させた通気構造を有している。したがって、こうした通気構造により、断熱層１５の内側での壁体内通気が可能である。
【００５０】
すなわち、住宅１は、夏場は、床下ダンパー４を開放するとともに、強制換気装置１８の排気ダンパー１８ｃを開けて換気扇１８ｂを運転して使用される。これにより、外郭の内側に配置された断熱層１５で断熱をしつつ、この断熱層１５の外側の外側通気路１６による外側通気と、断熱層１５の内側の壁体内通気路１７による内側通気とが行われる。
【００５１】
自然換気による外側通気で、外側通気路１６の下端１６ａの開口から取込まれた屋外空気が、外側通気路１６を上昇して屋根１２の排気部１９から屋外に排出される。この外側通気により住宅１の外郭での排熱及び排湿がなされる。
【００５２】
一方、強制換気装置１８の換気力によって、床下換気口３から床下空間２ａに吸い込まれた空気は、この床下空間２ａで冷やされた空気と混じり合ってから、壁体内通気路１７の階下側通気路部分３１に吸込まれて上昇し、この階下側通気路部分３１から胴差し２２の縦溝２２ａを通って階上側通気路部分４１に吸込まれて、ここから小屋裏空間１３に吸込まれた後に、強制換気装置１８を通って屋外に排気される。これにより、壁体内通気路１７を通って小屋裏空間１３に集まった熱気や湿気が屋外に逃がされて、居室５，６の温度上昇が抑えられるので、夏場でのより良好な居住性・快適性を確保できる。
【００５３】
前記住宅１は、冬場は、床下ダンパー４を閉じるとともに、強制換気装置１８の排気ダンパー１８ｃを閉じて換気扇１８ｂの運転を停止して使用される。これにより、外郭の内側に配置された断熱層１５で断熱をしつつ、この断熱層１５の外側での外側通気路１６による外側通気と、断熱層１５の内側での自然循環による通気が行われる。断熱層１５の内側での自然循環による通気は、日射を受けている側では断熱層１５の内側の空気が暖められて上昇し、日陰となっている側では断熱層１５の内側の空気が冷たくなって下降することにより形成され、断熱層１５の内側の暖気は屋外に排気されない。これにより、居室５，６が暖かい環境に置かれて、冬場での良好な居住性・快適性を確保できる。
【００５４】
ところで、図５の例示では、壁体１１に取付けた窓２４の窓台２４ａは胴差し２２の上面の一部に配置されて、その配置個所にある縦溝２２ａを閉じているので、図５中領域Ｅの空気は上方への流通をせき止められる。しかし、窓台２４ａで閉じられ縦溝２２ａとその他の縦溝２２ａとは水平方向に連続して延びて各縦溝２２ａと交差している通気横溝５２を介して連通している。このため、領域Ｅの空気を、図５中点線矢印で示す通気経路及びせき止められていない縦溝２２ａを通して窓２４がない他の領域Ｆ,Ｇに流通させることができる。
【００５５】
これにより、施工現場などで、領域Ｅとこの横に隣接する領域Ｈ，Ｉとを連通する切欠きをのみで間柱２３に刻んだり、領域Ｅと領域Ｆ,Ｇとを連通する斜めの切欠きをのみで胴差し２２に刻んだりする面倒な手間を要しないとともに、以上の刻みを原因とする胴差し２２や間柱２３等からなる躯体の強度低下がもたらされることもない。更に、通気部材５１を用いたことで、その通気横溝５２に相当する溝を胴差し２２に刻まないで済むので、この点においても躯体の強度低下がもたらされることがない。
【００５６】
しかも、図６に示すように壁体１１の隅柱５８が設置された隅部において、隣接した通気部材５１の通気横溝５２同士が連続しているので、出隅部や入隅部を水平方向での通気が可能である。これにより、せき止められた通気を、通気遮断物がある壁部に隣接する壁部に導いて、その壁部を通る壁体内通気ができるので、通気経路が多様化して確実な壁体内通気を実現できる。
【００５７】
したがって、窓２４等の通気遮断物が壁体１１に設けられているにも拘わらず、この通気遮断物によって通気が途切れることがなくなり、断熱層１５の内側での床下空間２ａと小屋裏空間１３とにわたる壁体内通気が確保できるので、住宅１の良好な居住性及び快適性を確保できる。
【００５８】
又、以上のように断熱層１５の内側で壁体内通気ができる在来軸組構造の住宅１が火災に遭って、万一、屋外や居室内の火炎が壁体１１内に侵入した場合には、壁体内通気路１７を火炎が上昇しようとするが、以下説明する遮炎作用によって、延焼を抑制できる。
【００５９】
すなわち、胴差し２２の縦溝２２ａとともに通気構造をなしている通気横溝５２を有した通気部材５１及びこれに設けられている閉塞要素５５が、壁体内通気路１７への火炎の侵入により所定温度以上になると、それに伴い閉塞要素５５が発泡膨張する。これにより、発泡膨張した閉塞要素５５が通気横溝５２及び縦溝２２ａにも素早く充満して、前記通気構造が塞がれるので、壁体内通気路１７を通る通気が胴差し２２回りで途絶えて、壁体１１内を通る延焼を抑制することができる。
【００６０】
図７（Ａ）は、居室側での火災（内部火災による火炎）が、万一、壁体内通気路１７に侵入した場合に、閉塞要素５５が発泡膨張した状態を示している。図７（Ｂ）は、通気横溝５２の長手方向に沿って連続して延びる閉塞要素５５を、通気横溝５２の内面だけではなく外面にも貼り付けた場合に、火災に伴って閉塞要素５５が発泡膨張した状態を示している。つまり、壁体１１の断熱層である断熱層１５が発泡ポリスチレン等のプラスチック系断熱材である場合、例えば階下側の断熱層部分が、階下側通気路部分３１に侵入した火炎の高熱によって溶かされて、通気部材５１の内外両面に夫々設けられた閉塞要素５５が、所定温度以上で発泡膨張する。それにより、内側の閉塞要素５５で既述のように壁体内通気路１７の通気及び火炎が遮断されるとともに、外側の閉塞要素５５が外装材１４の裏面に接するように膨張して、外装材１４と通気部材５１との間を通る通気及び火炎が遮断される。
【００６１】
図７（Ａ）（Ｂ）に示した遮炎の場合、閉塞要素５５が通気部材５１とともに住宅１の外周に沿って水平方向に連続して延びて設けられていることに基づき、この閉塞要素５５の発泡膨張による連続した遮炎ラインを得られるので、住宅１の上方への延焼を防止する上で好ましい。
【００６２】
しかも、壁体内通気路１７での通気と火炎との遮断を担う閉塞要素５５は、通気横溝５２の奥壁に取付けられていて、この奥壁とフランジ５３，５４とを結んだ互に平行な上下の壁部によって、発泡時の閉塞要素５５の膨張方向が胴差し２２方向に制限されている。これにより、閉塞要素５５が勝手な方向に無闇に発泡膨張するのではなく、制御された膨張方向に従って、通気横溝５２に対して発泡した閉塞要素５５を効率的且つ素早く充満させることができるとともに、この通気横溝５２に直交している縦溝２２ａに対しても効率的且つ素早く充満させることができる。従って、胴差し２２回りでの前記通気構造の遮断が確実となるとともに、そのために使用する閉塞要素５５の量も少なくて済む。
【００６３】
以上の通気と火炎との遮断を担う閉塞要素５５を支持した通気部材５１は、不燃材であるので、火災に伴い焼失することがなく確実に閉塞要素５５を支持して、胴差し２２回りでの遮炎ラインを保持できる。更に、通気部材５１は、不燃材の中でも金属製であって、火災時の温度上昇が木材に比較して素早いので、閉塞要素５５を早期に発泡膨張させるのに有効である。
【００６４】
更に、閉塞要素５５を金属製の通気部材５１に貼り付けたので、木材に閉塞要素５５を貼り付ける場合に比較して、閉塞要素５５の接着性能が優れており、数十年にわたる経年においても所定位置に閉塞要素５５を確実に保持できる。
【００６５】
しかも、通気部材５１の屋外側に凹んだ通気横溝５２内に閉塞要素５５を支持したので、胴差し２２回りでの壁体内通気路１７の通気を担う縦溝２２ａの通気断面積を、閉塞要素５５が減じることはなく、縦方向の通気流量の減少がない点で好ましい。なお、通気及び火炎を縦溝２２ａで遮断するために、縦溝２２ａに閉塞要素５５を貼り付けることも可能である。しかし、この場合、縦溝２２ａを深く削り込んで所定の通気断面積を確保しなければならないので、胴差し２２の強度上好ましくなく、又、深い削り込みをしない場合に、閉塞要素５５によって縦溝２２ａの通気断面積が減るので好ましくない。
【００６６】
なお、図９に示すように面材３３,４３の縁部３３ａ,４３ａの裏面と胴差し２２の側面との間の閉塞要素５５を挟んで、この閉塞要素５５を火災時に縦溝２２ａに発泡充填させることによって、胴差し２２回りでの通気と火炎とを遮断することも可能である。しかし、この場合、閉塞要素５５の厚みに応じて縁部３３ａ,４３ａが屋外側に突出する不陸を生じるので、納まり上好ましくない。しかし、既述のように図３に示すＡ，Ｂの寸法関係がＡ≦Ｂの条件のもとで、通気横溝５２内に閉塞要素５５を設けた構成によれば、図９に示すように不陸を生じることがなく、収まり上好ましい。
【００６７】
又、不燃材製の通気部材５１が、面材３３,４３の縁部３３ａ,４３ａ間の目地を裏側から塞いでいるので、通気部材５１を目地止め部材として機能させることができる。このため、屋外での火災（外部火災）の火炎が前記目地に及んだ場合に、その火炎が壁体内通気路１７に侵入することを、通気部材５１によって防止できる。又、不燃材製の通気部材５１のフランジ５３，５４が前記目地を屋内側から被っているので、内部火災が壁体内通気路１７の縦溝２２ａに侵入した場合でも、壁体内通気路１７から前記目地を通って外側に火炎が及ぶことを防止できる。
【００６８】
なお、このように外部火災等の火炎が通気部材５１に及んだ場合に有効な対策として、通気横溝５２の外側に、外側通気路１６に臨んで閉塞要素５５を、図８（Ａ）（Ｂ）（Ｃ）のように設けるとよい。図８（Ａ）は、通気横溝５２の出幅Ａを面材３３，４３の厚みＢより小さくして、通気横溝５２の奥壁外面に閉塞要素５５を貼り付けて、この閉塞要素５５が外側通気路１６を狭めないようにした例を示している。図８（Ｂ）は、通気横溝５２の奥壁を内面側に凸となるように断面Ｖ字状に曲げて、この奥壁外面に閉塞要素５５を貼り付けて、この閉塞要素５５が外側通気路１６を狭めないようにした例を示している。図８（Ｃ）は、Ａ≦Ｂの寸法関係の元で、通気横溝５２の少なくとも一方のフランジ例えばフランジ５３と奥壁との間の壁部５２ａと、これに近接した面材例えば面材４３の縁部４３ａとの間に閉塞要素５５を挟み込んだ例である。いずれの例でも通気横溝５２の内側の発泡要素は図示を省略してある。そして、これらの例では、外部火災等の火炎が通気部材５１に及んだ場合に、外側の閉塞要素５５を発泡膨張させることができるので、面材３３，４３間の目地部での火炎の侵入を更に確実に防止できる。
【００６９】
以上説明したように本実施形態の住宅１は、胴差し２２の側面とこれに沿って設けた通気部材５１とがなす通気構造により、階下側通気路部分３１と階上側通気路部分４１とを連通させて、窓２４等の通気遮断物に拘わらず断熱層１５の内側の壁体内通気路１７での通気を確保できる。そして、火災時には、通気部材５１に支持させた閉塞要素５５の発泡膨張により前記通気構造を通る通気と火炎とを遮断できるとともに、断熱層１５の内側の面材３３，４３間の目地処理を、不燃性の通気部材５１で兼ねることにより、目地を通る遮炎ができるので、住宅１の上方への延焼を抑制できる。
【００７０】
本発明は前記各実施形態には制約されない。例えば、前記各実施形態では、床下空間と小屋裏空間とにわたる通気経路の中で、壁体内通気路の高さ方向中間位置に配置した胴差し（横架材）と通気部材とがなす通気構造によって、壁体内通気路の上下に隣接した壁体内通気路部分同士を連通させたが、本発明は、壁体内通気路と床下空間とを連通させるために、壁体内通気路の高さ方向下端に前記通気構造を配置して実施することも可能であり、又、壁体内通気路と小屋裏空間とを連通させるために、壁体内通気路の高さ方向上端に前記通気構造を配置して実施することも可能である。したがって、通気部材のフランジを一方だけにして実施する場合もある。
【００７１】
又、本発明は、外側通気路を有さないで壁体断熱用の断熱層の内側に壁体内通気路を形成した住宅等の建物にも適用可能である。
【図面の簡単な説明】
【００７２】
【図１】本発明の一実施形態に係る壁体を備えた住宅を示す概略断面図。
【図２】図１の住宅が備えた胴差し回りを示す断面図。
【図３】図１の住宅の壁体が備えた通気部材回りを示す斜視図。
【図４】図２中Ｆ４−Ｆ４線に沿って胴差し回りを示す断面図。
【図５】図１の住宅で窓がある壁体についての通気経路を例示する図。
【図６】図１の住宅の隅部を示す断面図。
【図７】（Ａ）及び（Ｂ）は閉塞要素の夫々異なる発泡例を示した図２相当の断面図。
【図８】（Ａ）（Ｂ）（Ｃ）は図３に示した通気部材の外面に対する閉塞要素の夫々異なる取付け例を示した断面図。
【図９】閉塞要素を面材と胴差しとの間に挟設した例を示す胴差し回りの断面図。
【符号の説明】
【００７３】
１…住宅（建物）
２ａ…床下空間
３…床下換気口
１１…壁体
１３…小屋裏空間
１５…断熱層
１７…壁体内通気路
１８…強制換気装置（換気部）
２１…柱
２２…胴差し（横架材）
２２ａ…胴差しの縦溝
２２ｂ…胴差しの凸部
２４…窓（通気遮断物）
３１…壁体内通気路の階下側通気路部分
３２…石膏ボード
３３…面材
３３ａ…面材の縁部
４１…壁体内通気路の階上側通気路部分
４２…石膏ボード
４３…面材
４３ａ…面材の縁部
５１…通気部材
５２…通気部材の通気横溝
５３，５４…通気部材のフランジ
【図１】
2005290694.tif 000003
【図２】
2005290694.tif 000004
【図３】
2005290694.tif 000005
【図４】
2005290694.tif 000006
【図５】
2005290694.tif 000007
【図６】
2005290694.tif 000008
【図７】
2005290694.tif 000009
【図８】
2005290694.tif 000010
【図９】
2005290694.tif 000011